(57)【要約】【課題】一例として、筐体の薄型化に対応しやすいコネクタおよび当該コネクタを有した電子機器を得る。【解決手段】実施形態にかかる電子機器は、一例として、回路基板と、第一のコネクタと、電気部品と、第二のコネクタと、を備える。回路基板は、面と第一の導体部とを有する。第一のコネクタは、面に実装され、第一の導体部と電気的に接続された第一の接触子と、面と傾斜した方向に延びた第一のハウジングと、を有する。電気部品は、第二の導体部を有する。第二のコネクタは、電気部品と接続され、第二の導体部および第一の接触子と電気的に接続された第二の接触子と、第一のハウジングと少なくとも部分的に重なった第二のハウジングと、を有する。【選択図】図６
2014120451.tif 000002
【特許請求の範囲】
【請求項１】
筐体と、
前記筐体内に収容され、面と第一の導体部とを有した回路基板と、
前記筐体内に収容され、前記面に実装され、前記第一の導体部と電気的に接続された第一の接触子と、前記面と傾斜した方向に延びた第一のハウジングと、を有した第一のコネクタと、
前記筐体内に収容され、第二の導体部を有した電気部品と、
前記筐体内に収容され、前記電気部品と接続され、前記第二の導体部および前記第一の接触子と電気的に接続された第二の接触子と、前記第一のハウジングと少なくとも部分的に重なった第二のハウジングと、を有した第二のコネクタと、
を備えた電子機器。
【請求項２】
前記第一のハウジングは、当該第一のハウジングの長手方向に傾斜した、請求項１に記載の電子機器。
【請求項３】
前記第一のハウジングは、前記面と背いた状態に傾斜した第一の壁部と、当該第一の壁部に設けられた第一の引掛部と、を有し、
前記第二のハウジングは、前記第一の引掛部と引っ掛かる第二の引掛部を有した、請求項１または２に記載の電子機器。
【請求項４】
前記第一のハウジングは、前記面と面した状態に傾斜した第二の壁部と、当該第二の壁部の前記面に近い側の端部で当該面に沿って突出した突出部と、を有した、請求項１〜３のうちいずれか一つに記載の電子機器。
【請求項５】
前記突出部は前記面に接合された、請求項４に記載の電子機器。
【請求項６】
前記第二のハウジングは、前記面と面した状態に傾斜した第三の壁部と、当該第三の壁部の前記面に近い側の第二の端部で当該面に沿って突出した第二の突出部と、を有した、請求項１〜５のうちいずれか一つに記載の電子機器。
【請求項７】
前記回路基板は第三の端部を有し、
前記第一のハウジングは、前記第三の端部に沿って傾斜した、請求項１〜６のうちいずれか一つに記載の電子機器。
【請求項８】
前記回路基板は角部を有し、
前記第一のハウジングは、前記角部に面した状態に傾斜した第四の壁部を有した、請求項１〜７のうちいずれか一つに記載の電子機器。
【請求項９】
回路基板と面する第一の面と、当該第一の面と傾斜した方向に平行に延びて互いに反対側を向いた二つの第二の面と、を有したハウジングと、
前記ハウジングに設けられた複数の接触子と、
を備え、前記回路基板に実装可能なコネクタ。
【請求項１０】
回路基板と面する第一の面と当該第一の面とは傾斜した方向に平行に延びて互いに反対側を向いた二つの第二の面とを有したハウジングと、当該ハウジングに設けられた複数の接触子と、を有した第一のコネクタと、
前記第一のコネクタと機械的かつ電気的に接続される第二のコネクタと、
を備えた、コネクタアセンブリ。
【発明の詳細な説明】
【技術分野】
【０００１】
本発明の実施形態は、電子機器、コネクタ、およびコネクタアセンブリに関する。
【背景技術】
【０００２】
従来、回路基板に実装されたコネクタを有した電子機器が知られている。
【先行技術文献】
【特許文献】
【０００３】
【特許文献１】特開２０１２−１３７５５４号公報
【発明の概要】
【発明が解決しようとする課題】
【０００４】
この種の電子機器では、一例として、筐体の薄型化に対応しやすいコネクタが望まれる場合がある。
【０００５】
そこで、本発明の実施形態は、一例として、筐体の薄型化に対応しやすいコネクタおよび当該コネクタを有した電子機器を得ることを目的の一つとする。
【課題を解決するための手段】
【０００６】
本発明の実施形態にかかる電子機器は、一例として、回路基板と、第一のコネクタと、電気部品と、第二のコネクタと、を備える。回路基板は、面と第一の導体部とを有する。第一のコネクタは、面に実装され、第一の導体部と電気的に接続された第一の接触子と、面と傾斜した方向に延びた第一のハウジングと、を有する。電気部品は、第二の導体部を有する。第二のコネクタは、電気部品と接続され、第二の導体部および第一の接触子と電気的に接続された第二の接触子と、第一のハウジングと少なくとも部分的に重なった第二のハウジングと、を有する。
【図面の簡単な説明】
【０００７】
【図１】図１は、実施形態にかかる電子機器の一例の斜視図である。
【図２】図２は、実施形態にかかる電子機器の一例の筐体内に収容された電気部品の一部の平面図である。
【図３】図３は、実施形態にかかる電子機器の一例に含まれるコネクタアセンブリの分解斜視図である。
【図４】図４は、実施形態にかかる電子機器の一例に含まれる第一のコネクタの断面図である。
【図５】図５は、実施形態にかかる電子機器の一例に含まれる第二のコネクタの断面図である。
【図６】図６は、実施形態にかかる電子機器の一例に含まれるコネクタアセンブリの断面図である。
【図７】図７は、実施形態の変形例にかかるコネクタアセンブリの一例の第一のコネクタの断面図である。
【図８】図８は、実施形態の変形例にかかるコネクタアセンブリの一例の第二のコネクタの断面図である。
【図９】図９は、図８の第二のコネクタの一部の矢視IXでの図である。
【図１０】図１０は、実施形態の変形例にかかるコネクタアセンブリの一例の断面図である。
【図１１】図１１は、図１０のXI部が示された図である。
【発明を実施するための形態】
【０００８】
以下の例示的な実施形態や変形例には、同様の構成要素が含まれている。よって、以下では、同様の構成要素には共通の符号が付されるとともに、重複する説明が省略される。また、各実施形態や変形例に含まれる部分は、他の実施形態や変形例の対応する部分と置き換えて構成されうる。
【０００９】
また、以下の実施形態では、電子機器がクラムシェル型（ノート型、折りたたみ型）のパーソナルコンピュータとして構成された場合が例示されるが、本実施形態にかかる電子機器は、これらには限定されない。本実施形態にかかる電子機器は、例えば、タブレット型（スレート型）やデスクトップ型のパーソナルコンピュータや、スマートフォン、電子書籍端末、スマートブック、携帯電話機、ＰＤＡ（personal digital assistant）、映像表示装置、テレビジョン受像機、テレビ電話機、映像表示制御装置、情報記憶装置等、筐体の内部にコネクタあるいはコネクタアセンブリを有した電子機器として構成されうる。
【００１０】
＜実施形態＞
本実施形態では、一例として、図１に示されるように、電子機器１は、筐体２（第一の筐体、筐体、第一の部分）と筐体３（第二の筐体、別の筐体、第二の部分）とを備える。筐体２には、表示装置４の少なくとも一部が収容されている。筐体３には、回路基板３０が収容されている。また、筐体３には、キーボード６（入力操作部、入力受付部、入力部）や、タッチパッド７（入力操作部、入力受付部、入力部）、クリックボタン８（入力操作部、入力受付部、入力部）等が設けられている。
【００１１】
筐体２と筐体３とは、ヒンジ部９（接続部、連結部、回動支持部、ヒンジ機構、接続機構、連結機構、回動支持機構）によって回動可能に接続されている。ヒンジ部９により、筐体２および筐体３は、少なくとも図１に示される展開状態と、図示されない折り畳み状態との間で回動可能に接続されている。本実施形態では、一例として、ヒンジ部９は、筐体２と筐体３とを、回動軸Ａｘ回りに回動可能に、接続している。表示装置４の表示画面４ａは、筐体２の面２ａに設けられた開口部２ｒから視認可能である。また、キーボード６や、タッチパッド７、クリックボタン８等は、筐体３の面３ａに露出している。折り畳み状態では、筐体３の面３ａと筐体２の面２ａとが重なり、表示画面４ａや、キーボード６、タッチパッド７、クリックボタン８等が、筐体３および筐体２に隠される。展開状態では、筐体３の面３ａおよび筐体２の面２ａが露出され、表示画面４ａや、キーボード６、タッチパッド７、クリックボタン８等が使用可能（視認可能あるいは操作可能）になる。
【００１２】
本実施形態では、一例として、図１に示されるように、筐体２は、正面視および背面視では四角形状（本実施形態では、一例として横に長い長方形状）の外観を呈している。また、筐体２は、本実施形態では、一例として、前後方向（筐体２の厚さ方向）に薄い扁平な直方体状に構成されている。筐体２は、面２ａ（表面、正面、前面、面部）とその反対側の面２ｂ（裏面、背面、後面、面部）と、面２ａと面２ｂとの間に亘る面２ｐ（側面、面部）と、を有する。面２ａおよび面２ｂはいずれも、厚さ方向と交叉している。面２ａと面２ｂとは略平行である。また、面２ａ，２ｂと面２ｐとは、交叉している（本実施形態では、一例として直交している）。また、筐体２は、正面視では、四つの端部２ｃ〜２ｆ（辺部、縁部、周縁部）と、四つの角部２ｇ〜２ｊ（尖部、曲部、端部）と、を有する。端部２ｃ，２ｅは、長辺部の一例である。端部２ｄ，２ｆは、短辺部の一例である。
【００１３】
また、筐体２は、壁部２ｋ（部分、プレート、前壁部、表壁部、天壁部、第一の壁部）と、壁部２ｍ（部分、プレート、後壁部、裏壁部、底壁部、第二の壁部）と、壁部２ｎ（部分、プレート、側壁部、端壁部、立壁部、亘部、第三の壁部）と、を有する。壁部２ｋは、面２ａを有する。壁部２ｍは、面２ｂを有する。壁部２ｎは、面２ｐを有する。壁部２ｋ，２ｍ，２ｎは、いずれも四角形状（本実施形態では、一例として長方形状）である。また、壁部２ｋ，２ｍ，２ｎは、いずれも板状である。壁部２ｋには、四角形状の開口部２ｒが設けられている。筐体２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体３は、複数の部材（部品、分割体）を有することができる。
【００１４】
また、本実施形態では、一例として、筐体２内には、表示装置４（表示部、ディスプレイ、パネル、表示部品）が収容されている。具体的には、使用者は、前方側から開口部２ｒを介して表示装置４の表示画面４ａを視認することができる。表示装置４は、正面視では四角形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid crystal display）や、有機ＥＬディスプレイ（ＯＥＬＤ，organic electro-luminescent display）等である。また、表示装置４は、フレキシブルディスプレイであってもよい。
【００１５】
また、本実施形態では、一例として、表示装置４の前側（表側、壁部２ｋ側）には、透明な比較的薄い四角形状の入力操作パネル５（タッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部２ｋの開口部２ｒから筐体２の前方（外方）へ出る。入力操作パネル５は、入力部の一例である。また、本実施形態では、一例として、表示装置４および入力操作パネル５は、筐体２に、例えば、固定具（固定部品、結合部品、例えば、ねじ、金具、部品等、図示されず）や接着部（例えば接着剤や両面テープ等、図示されず）を介して固定される（支持される）。なお、入力操作パネル５は、表示装置４内に含まれたインセルタッチパネルとして構成されてもよい。
【００１６】
一方、本実施形態では、一例として、図１に示されるように、筐体３は、正面視および背面視では四角形状（本実施形態では、一例として横に長い長方形状）の外観を呈している。また、図１に示されるように、筐体３は、前後方向（筐体３の厚さ方向）に薄い偏平な直方体状に構成されている。筐体３は、面３ａ（表面、正面、前面、面部）とその反対側の面３ｂ（裏面、背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、筐体３は、正面視では、四つの端部３ｃ〜３ｆ（辺部、縁部、周縁部）と、四つの角部３ｇ〜３ｊと（尖部、曲部、端部）、を有する。端部３ｃ，３ｅは、長辺部の一例である。端部３ｄ，３ｆは、短辺部の一例である。
【００１７】
また、筐体３は、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒが設けられている。筐体３は、例えば、金属材料や合成樹脂材料等で構成されうる。金属材料は、例えば、鋳造や、プレス、切削等で構成することができる。合成樹脂材料は、例えば、射出成形等で構成することができる。なお、筐体３は、複数の部材（部品、分割体）を有することができる。
【００１８】
そして、本実施形態では、一例として、筐体３内には、一つ以上の回路基板３０（基板、部品、電気部品、基板アセンブリ６０）が収容されている。回路基板３０は、キーボード６と平行に設けられている。回路基板３０は、筐体３に、結合具５０（図２参照）によって固定されている。
【００１９】
また、本実施形態では、一例として、回路基板３０には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（電気部品、いずれも図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２０】
また、本実施形態では、一例として、筐体３内には、図２に示される形態で、回路基板３０とフレキシブルプリント配線板４０（以下、ＦＰＣ（flexible printed circuit）と記す）とが収容されている。回路基板３０ならびにＦＰＣ４０は、電気部品の一例である。
【００２１】
回路基板３０は、板状のリジッド基板である。回路基板３０は、面３０ａ，３０ｂ（図４参照）と、端部３０ｃ，３０ｄと、角部３０ｅと、を有する。また、回路基板３０は、絶縁体部３１と、導体部３２（導体パターン、配線パターン、第一の導体部）と、を有している。絶縁体部３１は、ガラスエポキシ樹脂等、比較的硬い材料で構成されている。
【００２２】
ＦＰＣ４０は、フィルム状（膜状、シート状）の可撓性基板である。ＦＰＣ４０は、面４０ａ，４０ｂ（図５参照）と、端部４０ｃ，４０ｄと、を有する。また、ＦＰＣ４０は、絶縁体部４１と、導体部４２（導体パターン、配線パターン、第二の導体部）と、を有している。絶縁体部４１は、ポリイミド等の可撓性を有した合成樹脂材料で構成されている。導体部４２は、銅箔等で構成されている。絶縁体部４１と導体部４２とは積層され、接着等されることで一体化されている。
【００２３】
そして、本実施形態では、一例として、図３〜５に示されるように、回路基板３０には、第一のコネクタ１０が取り付けられ（接続され、固定され）、ＦＰＣ４０には、第二のコネクタ２０が取り付けられる（接続される、固定される）。また、第一のコネクタ１０と第二のコネクタ２０とが、機械的かつ電気的に接続される。具体的には、第一のコネクタ１０は、ハウジング１１と、接触子１２（第一の接触子）とを有する。第二のコネクタ２０は、ハウジング２１と、接触子２２（第二の接触子）とを有する。第一のコネクタ１０の導体部としての接触子１２が、回路基板３０の導体部３２に電気的に接続され、第二のコネクタ２０の導体部としての接触子２２が、ＦＰＣ４０の導体部４２に電気的に接続される。そして、第一のコネクタ１０と第二のコネクタ２０とが機械的に接続された状態で、第一のコネクタ１０の接触子１２と第二のコネクタ２０の接触子２２とが電気的に接続される。すなわち、第一のコネクタ１０と第二のコネクタ２０とが機械的に接続されることにより、回路基板３０の導体部３２と、ＦＰＣ４０の導体部４２とが、第一のコネクタ１０の接触子１２および第二のコネクタ２０の接触子２２を介して電気的に接続される。第一のコネクタ１０と第二のコネクタ２０とが組み立てられて、コネクタセンブリ１００（コネクタアセンブリ）が構成される。
【００２４】
ここで、本実施形態では、一例として、図４に示されるように、第一のコネクタ１０は、回路基板３０の面３０ａに対して傾斜している。また、図５に示されるように、第二のコネクタ２０は、ＦＰＣ４０の面４０ａ（の第二のコネクタ２０と接続される領域）に対して傾斜している。また、第一のコネクタ１０および第二のコネクタ２０が組み立てられた状態で、面３０ａおよび面４０ａ（回路基板３０およびＦＰＣ４０）は互いに平行である。第一のコネクタ１０および第二のコネクタ２０は、面３０ａならびに面４０ａと傾斜した方向（各図中のＩｃ方向）に互いに近付き、接続される。ここで、接触子１２および接触子２２は、それぞれ、互いに近付く方向（傾斜した方向、Ｉｃ方向）に沿って延びた接触部１２ａ，２２ａを有する。これら接触部１２ａ，２２ａの長さは、第一のコネクタ１０および第二のコネクタ２０の製造誤差や組み立てられた状態でのがたつき等があった場合にも互いに接触した状態を維持できる余裕を持った長さに設定される。また、ハウジング１１，２１（ボディ）には、壁部の厚さ等が必要である。すなわち、第一のコネクタ１０および第二のコネクタ２０には、互いに近付く方向（本実施形態では、一例として傾斜した方向、Ｉｃ方向）に沿ってある程度の長さ（高さ）が必要である。したがって、仮に、従来の多くの構成のように第一のコネクタ１０および第二のコネクタ２０が回路基板３０の厚さ方向（面３０ａの法線方向）に近付いて接続され接触子１２，２２ひいては第一および第二のコネクタ１０，２０が面３０ａ，４０ａと垂直な構成では、本実施形態のように第一のコネクタ１０および第二のコネクタ２０が面３０ａ，４０ａと傾斜した方向に近付いて接続され接触子１２，２２ひいては第一および第二のコネクタ１０，２０が面３０ａ，４０ａと傾斜した構成と比べて、第一のコネクタ１０および第二のコネクタ２０の高さ（面３０ａの法線方向での長さ）が大きくなりやすい。この点、本実施形態では、一例として、第一のコネクタ１０および第二のコネクタ２０が、回路基板３０の面３０ａに対して傾斜している分、第一のコネクタ１０および第二のコネクタ２０の高さ（面３０ａの法線方向での長さ）が、より低く（短く）構成されやすい。すなわち、換言すれば、本実施形態によれば、一例としては、第一のコネクタ１０および第二のコネクタ２０が、回路基板３０の面３０ａあるいはＦＰＣ４０の面４０ａに対して傾斜しているため、第一のコネクタ１０および第二のコネクタ２０の高さが低い場合にあっても、接触子１２，２２の長さがより長く設定されやすい。
【００２５】
本実施形態では、一例として、図３，４に示されるように、ハウジング１１（第一のハウジング）は、壁部１１ａ〜１１ｅと、突出部１１ｆと、を有する。ハウジング１１は、図３，４の左右方向に長く延びている。壁部１１ａは、四角形状（本実施形態では、一例として長方形状）かつ板状である。短手方向（幅方向）の端部に位置する二つの壁部１１ｂ，１１ｄ（側壁）は、平行四辺形状かつ板状である。壁部１１ｂ，１１ｄは、互いに平行である。また、長手方向の端部に位置する二つの壁部１１ｃ，１１ｅ（端壁）は、四角形状（本実施形態では、一例として長方形状）かつ板状である。壁部１１ｃ，１１ｅは、互いに平行である。また、壁部１１ｃ，１１ｅは、壁部１１ａに対して傾斜している。面１１ｃ２（外面、第二の面）は、面３０ａと面した状態に傾斜している。また、面１１ｅ２（外面、第二の面）は、面３０ａと背いた状態に傾斜している。面１１ｃ１は面１１ｃ２とは反対側を向き、面１１ｅ１は面１１ｅ２とは反対側を向いている。壁部１１ｂ〜１１ｅは、矩形環状の壁部（周壁）を構成している。突出部１１ｆは、壁部１１ｂ〜１１ｅとの間に隙間をあけた状態で、壁部１１ａからＩｃ方向に傾斜した状態に突出している。突出部１１ｆ、壁部１１ａ〜１１ｅによって、突出部１１ｆを囲う矩形環状の溝部１１ｇが構成されている。
【００２６】
突出部１１ｆの壁部１１ｂ，１１ｄに面した位置（面１１ｈ）で、溝部１１ｇ内に、複数の接触子１２が露出している。図３，４には、壁部１１ｂに面した接触子１２のみが示されているが、壁部１１ｄに面した位置にも、鏡像関係の状態に複数の接触子１２が設けられる。複数の接触部１２ａは、長手方向に一定の間隔で並んでいる。溝部１１ｇに露出した複数の接触部１２ａは、方向Ｉｃに傾斜した姿勢で設けられている。接触子１２は、壁部１１ａを貫通して、壁部１１ａの面１１ｉ（第一の面）に露出している。面１１ｉは回路基板３０の面３０ａと面する。面１１ｉに露出された端子部１２ｂが、回路基板３０の面３０ａに露出された導体部３２（図２参照）に、はんだ付け等によって接合され（機械的に接続され）、かつ電気的に接続される。
【００２７】
本実施形態では、一例として、図３，５に示されるように、ハウジング２１（第二のハウジング）は、壁部２１ａ〜２１ｅと、突出部２１ｆと、を有する。ハウジング２１は、図３，５の左右方向に長く延びている。壁部１１ａは、四角形状（本実施形態では、一例として長方形状）かつ板状である。短手方向（幅方向）の端部に位置する二つの壁部２１ｂ，２１ｄ（側壁）は、平行四辺形状かつ板状である。壁部２１ｂ，２１ｄは、互いに平行である。また、長手方向の端部に位置する二つの壁部２１ｃ，２１ｅ（端壁）は、四角形状（本実施形態では、一例として長方形状）かつ板状である。壁部２１ｃ，２１ｅは、互いに平行である。また、壁部２１ｃ，２１ｅは、壁部２１ａに対して傾斜している。壁部２１ｂ〜２１ｅは、矩形環状の壁部（周壁）を構成している。突出部２１ｆは、壁部２１ｂ〜２１ｅとの間に隙間をあけた状態で、壁部２１ａから方向Ｉｃに傾斜した状態に突出している。突出部２１ｆ、壁部２１ａ〜２１ｅによって、突出部２１ｆを囲う矩形環状の溝部２１ｇが構成されている。また、突出部２１ｆには、凹部２１ｊが設けられている。突出部２１ｆは、凹部２１ｊが設けられたことにより、矩形環状の壁状（角筒状）に構成されている。
【００２８】
突出部２１ｆの内側の位置（面２１ｈ）で、溝部２１ｇ内に、複数の接触子２２が露出している。壁部２１ｂに設けられた接触子２２と壁部２１ｄに設けられた接触子２２とは、互いに鏡像関係の状態に設けられている。複数の接触子２２は長手方向に一定の間隔で並んでいる。溝部２１ｇに露出した複数の接触部２２ａは、方向Ｉｃに傾斜した姿勢で設けられている。接触子２２は、壁部２１ａを貫通して、壁部２１ａの面２１ｉに露出している。面２１ｉに露出された端子部２２ｂが、ＦＰＣ４０の面４０ａに露出された導体部４２（図２参照）に、はんだ付け等によって接合され（機械的に接続され）、かつ電気的に接続される。
【００２９】
本実施形態では、一例として、図６に示されるように、ハウジング１１の突出部１１ｆが、ハウジング２１の突出部２１ｆに設けられた凹部２１ｊに挿入され、ハウジング１１の溝部１１ｇにハウジング２１の突出部２１ｆが挿入され、ハウジング２１の溝部２１ｇにハウジング１１の壁部１１ｂ〜１１ｅが挿入され、ハウジング１１の壁部１１ｂ〜１１ｅをハウジング２１の壁部２１ｂ〜２１ｅが取り囲む。また、図６の状態では、接触子１２とこれに対応する接触子２２とが互いに接触し、電気的に接続される。また、接触子１２および接触子２２のうち少なくとも一方には、弾性的に変形を伴って他方を弾性的に押す弾性部が設けられている。よって、接触子１２と接触子２２とは、第一のコネクタ１０と第二のコネクタ２０とを互いに抜けにくくする（保持する）弾性的な保持力（結合力）を生じることができる。
【００３０】
以上のように、本実施形態では、一例として、第一のコネクタ１０は、回路基板３０の面３０ａと傾斜した方向に延びたハウジング１１を有する。よって、本実施形態によれば、一例としては、ハウジング１１が面３０ａと垂直な方向に延びた場合に比べて、第一のコネクタ１０ならびに第二のコネクタ２０が、より低く（面３０ａからの長さを短く）構成されやすい。
【００３１】
また、本実施形態では、一例として、図３，４に示されるように、ハウジング１１は、その長手方向に傾斜している。仮に、ハウジング１１が短手方向に傾斜した場合、回路基板３０の面３０ａのうち、傾斜したハウジング１１が被さる領域がより広くなりやすい。面３０ａのうち傾斜したハウジング１１が被さる領域に部品（電子部品、電気部品）が実装された場合、一例としては、第二のコネクタ２０と干渉しやすくなるため、当該領域には部品を実装し難い。この点、本実施形態によれば、一例としては、ハウジング１１は、長手方向に傾斜しているため、短手方向に傾斜した場合に比べて、回路基板３０の面３０ａのうちハウジング１１が被さる領域（図４中の領域Ａ）がより狭くなりやすい。よって、一例としては、面３０ａにおける部品の実装効率（配置効率、配置面積）がより大きくなりやすい。
【００３２】
また、本実施形態では、一例として、図２に示されるように、第一のコネクタ１０は、回路基板３０の端部３０ｃ（第三の端部）および角部３０ｅの近傍に設けられている。また、第一のコネクタ１０は、端部３０ｃに沿って傾斜している。さらに、第一のコネクタ１０は、図２，４に示されるように、回路基板３０の角部３０ｅに面した状態に傾斜した壁部１１ｃ（第四の壁部）を有している。よって、本実施形態によれば、一例としては、傾斜したハウジング１１が被さる領域が、実装される部品の少ない回路基板３０の端部３０ｃや角部３０ｅに位置される。よって、一例としては、傾斜したハウジング１１が面３０ａに被さることによる不都合が生じ難い。
【００３３】
＜変形例＞
図７〜１１に示される変形例にかかる第一のコネクタ１０Ａおよび第二のコネクタ２０Ａ（コネクタアセンブリ１００Ａ）は、上記実施形態にかかる第一のコネクタ１０および第二のコネクタ２０（コネクタアセンブリ１００）と同様の構成を備えている。よって、本変形例によっても、同様の構成に基づく同様の効果が得られる。変形例にかかる第一のコネクタ１０Ａおよび第二のコネクタ２０Ａ（コネクタアセンブリ１００Ａ）は、上記実施形態にかかる第一のコネクタ１０および第二のコネクタ２０（コネクタアセンブリ１００）に置き換えることができる。
【００３４】
ただし、本変形例では、一例として、第一のハウジング１１の壁部１１ｅ（第一の壁部）に、第一の引掛部１１ｋが設けられている。また、第二のハウジング２１Ａの壁部２１ｅに、第二の引掛部２１ｋが設けられている。そして、図１０，１１に示されるように、第一のコネクタ１０Ａと第二のコネクタ２０Ａとが接続された状態で、第一の引掛部１１ｋと第二の引掛部２１ｋとが、互いに引っ掛かる。第二のコネクタ２０Ａは、図１０の左側に外力が作用した場合にあっても、壁部１１ｃと壁部２１ａ，２１ｃとが引っ掛かるため、第一のコネクタ１０Ａからは抜け難い。しかし、第二のコネクタ２０Ａは、図１０の右側に外力が作用した場合にあっては、第一の引掛部１１ｋと第二の引掛部２１ｋとの引っ掛かりが無いと、他に引っ掛かる部分が無いため、第一のコネクタ１０Ａから抜けやすい。この点、本変形例によれば、一例としては、第一の引掛部１１ｋと第二の引掛部２１ｋとが引っ掛かることで、第一のコネクタ１０Ａと第二のコネクタ２０Ａとが抜ける（外れる、離れる）のが抑制されやすい。
【００３５】
具体的には、本変形例では、一例として、第一の引掛部１１ｋは、壁部１１ｅに凹部（の周縁部）として設けられ、第二の引掛部２１ｋは、壁部２１ｅに爪部として設けられている。図９に示されるように、壁部２１ｅには、Ｕ字状かつスリット状の開口部２１ｍが設けられ、その開口部２１ｍの内側の部分がアーム部２１ｎとして構成されている。そして、アーム部２１ｎに、第一の引掛部１１ｋと対応して当該第一の引掛部１１ｋに挿入される爪状の第二の引掛部２１ｋが設けられている。なお、アーム部２１ｎには、壁部１１ｅとは反対側に突出した突出部２１ｐが設けられている。アーム部２１ｎは弾性変形することができる。本変形例では、一例として、第一の引掛部１１ｋと第二の引掛部２１ｋとによって、スナップフィット機構が構成されている。使用者は、第二のコネクタ２０Ａを第一のコネクタ１０Ａから外す場合にあっては、突出部２１ｐを壁部１１ｅから離れる側（図１１の矢印Ｂ方向）に押す（引っ張る）ことで、第一の引掛部１１ｋと第二の引掛部２１ｋとの引っ掛かりを解除することができる。
【００３６】
また、本変形例では、一例として、第一のハウジング１１の壁部１１ｃ（第二の壁部）の面３０ａ側の端部１１ｃ３に、面３０ａに沿って突出する突出部１３が設けられている。また、本変形例では、突出部１３は、面３０ａに接合されている。一例としては、突出部１３は金属材料で構成され、面３０ａに露出された導体部３２にはんだ付け等によって接合されている。よって、本変形例によれば、一例としては、突出部１３が面３０ａと干渉することで、第一のコネクタ１０Ａに図７の時計回り方向のモーメントが生じるのが抑制され、第一のハウジング１１が面３０ａから外れ難くなる。なお、突出部１３による効果は、当該突出部１３が面３０ａに接合されていない状態でも得られるが、突出部１３が面３０ａに接合された場合には、より高い効果が得られやすい。
【００３７】
また、本変形例では、一例として、第二のハウジング２１Ａの壁部２１ｃ（第三の壁部）の面３０ａ側の端部２１ｃ３（第二の端部）に、面３０ａに沿って突出する突出部１４（第二の突出部）が設けられている。よって、本変形例によれば、一例としては、突出部１４が、突出部１３または面３０ａと干渉することで、第二のコネクタ２０Ａに図７の時計回り方向のモーメントが生じるのが抑制され、第二のコネクタ２０Ａが第一のコネクタ１０Ａから外れ難くなる。なお、本変形例では、一例として、突出部１４は突出部１３と重なっているが、突出部１４は面３０ａと重なって（あるいは面した状態に）設けられてもよい。
【００３８】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また実施形態と変形例との間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。
【符号の説明】
【００３９】
１…電子機器、３…筐体、１０，１０Ａ…第一のコネクタ、１１…（第一の）ハウジング、１１ｃ…（第二または第四の）壁部、１１ｃ２…（第二の）面、１１ｃ３…端部、１１ｅ…（第一の）壁部、１１ｅ２…（第二の）面、１１ｋ…第一の引掛部、１２…（第一の）接触子、１３…突出部、１４…（第二の)突出部、２０，２０Ａ…第二のコネクタ、２１…（第二の）ハウジング、２１ｃ…（第三の）壁部、２１ｃ３…端部、２１ｋ…第二の引掛部、２２…（第二の）接触子、３０…回路基板、３０ａ…面、３０ｃ…（第三の）端部、３０ｅ…角部、３２…（第一の）導体部、４０…ＦＰＣ（フレキシブルプリント配線板、電気部品）、４２…（第二の）導体部、１００，１００Ａ…コネクタアセンブリ。
【図１】
2014120451.tif 000003
【図２】
2014120451.tif 000004
【図３】
2014120451.tif 000005
【図４】
2014120451.tif 000006
【図５】
2014120451.tif 000007
【図６】
2014120451.tif 000008
【図７】
2014120451.tif 000009
【図８】
2014120451.tif 000010
【図９】
2014120451.tif 000011
【図１０】
2014120451.tif 000012
【図１１】
2014120451.tif 000013